(57)【要約】【課題】  無線ＬＡＮ通信の通信速度向上を図る。【解決手段】  通信速度が低下した場合に、自装置に近く、通信速度の速い無線ＬＡＮ端末の位置をサーバから取得し、その情報を基にアクセスポイントの変更を行う。【選択図】  図２
2006033460.tif 000002
【特許請求の範囲】
【請求項１】
自らの地理上の位置情報を検出する位置検出手段と、検出した位置情報を保存する手段と、検出した位置情報を送信する手段と、次の接続候補となる通信装置の送信要求を送信する手段と、他の通信装置の位置情報を受信する手段と、検出した位置情報と受信した位置情報を算出しその結果を表示する手段と、を持つ第一の通信装置は、公衆網に接続する手段と、前記第一の通信装置との実通信速度情報を計測する手段と、前記実通信速度情報を保存する手段と、第二の通信装置の地理上の位置情報を検出する位置検出手段と、前記第一の通信装置と実際に使用するデータと冗長なデータを送受信する手段と、単位時間あたりの前記実際に使用するデータを計測する手段と、を持つ第二の通信装置に接続され、
前記第二の通信装置は、公衆網に接続する手段と、前記第一の通信装置の次の接続候補となる第二の通信装置の位置情報送信要求を受信する手段と、前記第二の通信装置の位置情報を保存する手段と、前記第二の通信装置における実通信速度情報を保存する手段と、前期保存した位置情報と実通信速度情報を関連付けたデータを保存する手段と、前記関連付けたデータを送出する手段と、を持つ情報機器とに接続され、
前記第一の通信装置は自身の位置情報と前記情報機器から受信した位置情報を基に次の接続候補となる第二の通信装置の方角及び距離を算出し表示することができること、に特徴をもつ通信装置。
【請求項２】
請求項１の通信装置であって、第一の通信装置において他の通信装置の位置情報を送信要求する際に所望の選択基準情報を付加する手段と、を持ち、上記情報機器は所望の選択基準情報を基に次の接続候補となる第二の通信装置の位置情報を送出する手段と、を持ち、
前記第一の通信機器は上記情報機器から受信した第二の通信装置の位置情報とを用いて方角情報と距離情報を演算しその演算結果を表示すること、に特徴をもつ通信装置。
【請求項３】
自らの地理上の位置情報を検出する位置検出手段と、検出した位置情報を保存する手段と、接続候補となる機器の方角情報及び距離情報の送信要求を送信する手段と、他の通信装置から検出した位置情報の送信要求を受信する手段と、検出した位置情報を送信する手段と、他の通信装置の方角情報と距離情報を受信する手段と、受信した方角情報と距離情報を表示する手段と、を持つ第一の通信装置は、公衆網に接続する手段と、前記第一の通信装置との実通信速度情報を計測する手段と、前記実通信速度情報を保存する手段と、第二の通信装置の地理上の位置情報を検出する位置検出手段と、前記第一の通信装置と実際に使用するデータと冗長なデータを送受信する手段と、単位時間あたりの前記実際に使用するデータを計測する手段と、を持つ第二の通信装置に接続され、
前記第二の通信装置は、公衆網に接続する手段と、前記第一の通信装置の方角情報及び距離情報送信要求を受信する手段と、前記第一の通信装置の位置情報を保存する手段と、前記第二の通信装置の位置情報を保存する手段と、前記第二の通信装置における実通信速度情報を保存する手段と、前記位置情報と実通信速度情報を関連付けたデータを保存する手段と、前記関連付けたデータから次の接続候補となる第二の通信装置を選択する手段と、前記選択された第二の通信装置の方角情報と距離情報送信要求を送信した第一の通信装置の位置情報から第二の通信装置の方角情報と距離情報を算出する手段と、前記算出された方角情報と距離情報を送出する手段と、を持つ情報機器とに接続され、
前記第一の通信装置は前記情報機器から受信した方角情報と距離情報を基に次の接続候補となる第二の通信装置の方角と距離を表示することができること、
に特徴をもつ通信装置。
【請求項４】
請求項３の通信装置であって、第一の通信装置において他の通信装置の方角情報を送信要求する際に所望の選択基準情報を付加する手段と、を持ち、上記情報機器は所望の選択基準情報を基に次の接続候補となる第二の通信装置の方角情報と距離情報を送出する手段と、を持ち、
前記第一の通信機器は上記情報機器から受信した第二の通信装置の方角情報と距離情報を表示すること、に特徴をもつ通信装置。
【発明の詳細な説明】
【技術分野】
【０００１】
本発明は通信機器に関するものである。
【背景技術】
【０００２】
インターネットを使用する場合において、LAN（構内ネットワーク）を介してインターネットを使用するということは従来からよく行われてきた。また近年では無線ＬＡＮ機器を用いた接続方法も普及してきている。この際の機器構成を図２に示す。アクセスポイント（ＡＰ）はインターネットに接続されており、無線ＬＡＮ端末（ＳＴＡ）はＡＰと通信を行う。とりわけ2．4GHzの周波数帯を使用するIEEE802.11b規格方式は屋外での使用に許可は必用で無いことから、屋外での無線ＬＡＮ使用者数が今後更に増えていくと予想される。
【特許文献１】特開２００３-２５９４１７号公報
【発明の開示】
【発明が解決しようとする課題】
【０００３】
IEEE802.11b規格の無線ＬＡＮにおいてはインターネットに接続されるアクセスポイント（ＡＰ）と無線ＬＡＮ機器（ＳＴＡ）のチャネル数は4であり、各チャネルの最大通信速度は11Mbpsと規定されている。しかしながらＡＰとＳＴＡ間の電波の強弱、妨害波が存在することによって実通信速度情報は低下する。例えば、IEEE802.11b規格と同周波数帯を用いるBluetooth規格はIEEE802.11b規格にとってのノイズ源となり、Bluetoothによる通信が行われている場合は更に通信速度の低下要因になる。また、ＡＰが収容するＳＴＡの数によっても実通信速度情報の低下が起こる。
【０００４】
上述のような実通信速度情報の低下が起こる場合、ＡＰ-ＳＴＡ間のチャネル変更とが行われている。しかしながら、ＡＰへの接続ＳＴＡの数が多い場合や、広帯域の妨害波が存在する場合には、チャネル変更によっても実通信速度情報の維持または向上を図れないという問題があった。
【課題を解決するための手段】
【０００５】
上記課題を克服するため、本出願に係る第一の発明は、第一の通信装置において通信装置の実通信速度の低下が起きた場合、通信を直接行っている第二の通信装置の他に実通信速度の速い、前記とは異なる第二の通信装置の位置情報を、全ての第二の通信装置の位置情報と実通信速度情報を管理する情報機器にアクセスすることで取得し、第一の通信装置において方角と距離を算出することで、より高速な通信装置の情報を得ることができる。
【０００６】
上記課題を克服するため、本出願に係る第二の発明は、第一の発明に加えてより高速な通信装置の情報を、所望の優先順位に準じて得ることができる。
【０００７】
上記課題を克服するため、本出願に係る第三の発明は、第一の通信装置において通信装置の実通信速度の低下が起きた場合、通信を直接行っている第二の通信装置の他に実通信速度の速い、前記とは異なる第二の通信装置の方角と距離を、全ての第二の通信装置の位置情報と実通信速度情報を管理する情報機器において算出した結果をすることで、より高速な通信装置の情報を得ることができる。
【０００８】
上記課題を克服するため、本出願に係る第四の発明は、第三の発明に加えてより高速な通信装置の情報を、所望の優先順位に準じて得ることができる。
【発明の効果】
【０００９】
本出願に係る第一の発明によれば、第一の通信装置は、第二の通信装置との実通信速度情報の速度が遅い場合に、実通信速度情報を管理する情報機器に接続候補となる新たな第二の通信装置の位置情報を受け取ることにより、第一の通信装置の位置情報と新たな第二の通信装置の位置情報を用いて演算することによって、第一の通信機器は第二の通信装置の方角及び距離を知ることができる。
【００１０】
本出願に係る第二の発明によれば、第一の発明に加え、接続候補となる新たな第二の通信装置の位置情報を受け取る際に、距離や通信速度などの優先順位によって第一の通信機器は新たな通信装置を選択することができる。
【００１１】
本出願に係る第三の発明によれば、第一の通信装置は、第二の通信装置との実通信速度情報の速度が遅い場合に、実通信速度情報を管理する情報機器に接続候補となる新たな第二の通信装置の探索する際に、実通信速度情報を管理する情報機器において第二の通信装置の方角と距離を算出し、その情報を第一の通信機器が受信することにより、第一の通信機器は第二の通信装置の方角及び距離を知ることができる。
【００１２】
本出願に係る第四の発明によれば、第三の発明に加え、接続候補となる新たな第二の通信装置の位置情報を受け取る際に、距離や通信速度などの優先順位によって第一の通信機器は新たな通信装置を選択することができる。
【発明を実施するための最良の形態】
【００１３】
（実施例１）
本実施例においては、IEEE802.11b規格を用いた無線ＬＡＮ通信機能を備えた通信機器について、ＳＴＡが実通信速度情報サーバからＳＴＡが接続されているＡＰよりも実通信速度がより速いＡＰの位置情報を受信し、自身の位置情報とを用いてＳＴＡが探索したＡＰの方角と距離を算出し表示する方法、について述べる。
【００１４】
図１に、本発明の構成、を示す。図１に示すように、ＳＴＡ1（１１），ＳＴＡ2（１２），ＳＴＡi（１０）はＡＰ１（２１）との通信可能範囲に存在し、ＡＰ１（２１）とＳＴＡ間で通信行う。この際にＡＰ１（２１）に接続されるＳＴＡの数が多いと実通信速度情報の低下が起こる。ＡＰｍ（２８）がＡＰ１（２１）の付近にあり、かつＡＰｍの実通信速度情報が速い場合、ＡＰ１（２１）のＳＴＡはＡＰｍに移動できれば実通信速度情報を向上させることができる。このように各ＡＰの実通信速度情報を管理する実通信速度情報管理サーバ（３０）を設け、３０は実通信速度情報の速いＡＰの位置情報をＳＴＡに通知し、ＳＴＡは自身の位置情報とＡＰの位置情報とを用いてＳＴＡが方角と距離を算出することにより、移動するべき方角と距離を知ることができる。これらの機器及び動作を以下詳細に述べていく。
【００１５】
図３に、無線ＬＡＮ端末（ＳＴＡ,１００）の構成、を示す。無線ＬＡＮ端末は端末制御装置としてＣＰＵ（中央演算処理装置、１０１）を持ち、入力装置（１０２）、表示装置（１０３）、ＣＰＵ（１０1）動作上必用な作業用記憶領域として使用されるＲＡＭ（１０４）、起動プログラムを格納するＲＯＭ（１０５）、各種のデータを記憶するハードディスク装置（ＨＤＤ、１０６）を持ち、インターフェイスとしてPCMCIA制御部（１０７）を持つ。１００の無線ＬＡＮ通信を行うための機器は無線ＬＡＮカード（１１０）によって構成され、無線ＬＡＮカード（１１０）はアンテナ（１１１）、送受信部（１１２）、変復調部（１１３）及び無線ＬＡＮカード制御部（１１４）を持ち、無線ＬＡＮカード制御部（１１４）はPCMCIA制御部（１０７）とのインターフェイスを持つ。また、ＳＴＡ(１００)は位置検出装置（１２０）を持ち、位置検出装置（１２０）は本実施例においてはGPS(Global Positioning System)を使用する。位置検出装置（１２０）はアンテナ（１２１）、GPS信号受信部（１２２）及び位置演算部（１２３）を持つ。
【００１６】
図４に、無線ＬＡＮアクセスポイント（ＡＰ、２００）の構成、を示す。ＡＰ(２００)は制御装置としてＣＰＵ（２０１）を持ち、入力装置（２０２）、表示装置（２０３）、ＣＰＵ（２０1）動作上必用な作業用記憶領域として使用されるＲＡＭ（２０４）、起動プログラムを格納するＲＯＭ（２０５）、各種のデータを記憶するハードディスク装置（ＨＤＤ、２０６）を持ち、インターフェイスとしてPCMCIA制御部（２０７）を持つＡＰ(２００)の無線ＬＡＮ通信を行うための機器は無線ＬＡＮカード（２１０）によって構成され、無線ＬＡＮカード（２１０）はアンテナ（２１１）、送受信部（２１２）、変復調部（２１３）及び無線ＬＡＮカード制御部（２１４）を持ち、無線ＬＡＮカード制御部（２１４）はPCMCIA制御部（２０７）とのインターフェイスを持つ。また、ＡＰ(２００)は位置検出装置（２２０）を持ち、位置検出装置（２２０）は本実施例においてはGPSを使用し、位置検出装置（２２０）はアンテナ（２２１）、GPS信号受信部（２２２）及び位置演算部（２２３）を持つ。ＡＰ(２００)はインターネットに接続するための手段としてETHERネット接続装置（２０８）を持つ。
【００１７】
図５に、実通信速度情報管理サーバ（３００）の構成、を示す。実通信速度情報管理サーバ（３００）制御装置としてＣＰＵ（３０１）を持ち、入力装置（３０２）、表示装置（３０３）、ＣＰＵ（３０1）動作上必用な作業用記憶領域として使用されるＲＡＭ（３０４）、起動プログラムを格納するＲＯＭ（３０５）、各種のデータを記憶するハードディスク装置（ＨＤＤ、３０６）を持ち、インターネットに接続するための手段としてETHERネット接続装置（３０８）を持つ。
【００１８】
図６に、ＡＰ（２００）が自身の位置情報を取得する際のフローチャート、を示す。ここではＡＰｍ（２８）を例に説明する。Ｓ１０１において、ＡＰｍ（２８）のＣＰＵ(２０１)は位置検出装置（２２０）にアクセスし、Ｓ１０２において、ＣＰＵ(２０１)は位置検出装置（２２０）の位置演算部（２２３）に位置情報が存在するかを調べ、位置情報が存在する場合には、Ｓ１０３において、ＨＤＤ(２０６)に位置情報を記憶し、Ｓ１０２において、位置情報が存在しない場合には、Ｓ１０４において、位置情報読み出しを継続するかどうかを決定し、継続する場合には、Ｓ１０１へ戻り、継続しない場合には、終了となる。
【００１９】
図７に、無線ＬＡＮアクセスポイント（２００）が実通信速度情報を測定する際のフローチャート、を示す。Ｓ２０１において、ＡＰｍ（２８）はＡＰｍ（２８）と接続されているＳＴＡの数を読み出す。Ｓ２０２において、ＡＰｍ（２８）と通信中のＳＴＡが存在する場合にはＳ２０３へ進み、存在しない場合はＳ２０６にて実通信速度情報は接続されているＳＴＡが一台のときの最高実通信速度情報とする。IEEE802.11b規格において最高伝送速度は11Mbpsと規定されているが、実通信速度情報は一般的には4Mbps程度であるといわれている。これは、実際の送受信のデータは図15に示されるデータフレーム（５０３０）のフレームボディ（５０３８）であるが、このフレーム自体にも冗長な情報が含まれており、図12‐14、図16で示されるように送受信の為の冗長な情報が必要である為である。ＡＰｍ（２８）のＣＰＵ（２０１）はＰＣＭＣＩＡ制御部（２０７）を介して無線ＬＡＮカード制御部（１１４）にアクセスしデータフレームのフレームボディのデータ量、実通信データ量、を知ることができる。Ｓ２０３において、ＣＰＵ（２０１）はＡＰｍ（２８）とデータフレームを実際に送受信しているＳＴＡの数を数え、結果をＨＤＤ（２０６）に保存する。また、ＣＰＵ（２０１）は無線ＬＡＮカード制御部（２１４）にアクセスすることで、ＡＰｍ（２８）と接続しているＳＴＡの数と実際に送受信しているＳＴＡの数を知ることができる。Ｓ２０４において、ＣＰＵ（２０１）は無線ＬＡＮカード（１１０）で実際に送受信されている単位時間あたりの実通信データ量をカウントし、結果をＨＤＤ（２０６）に保存する。Ｓ２０５において、ＣＰＵ（１０１）はＳ２０３とＳ２０４で得られたデータをＲＡＭ（２０４）上に読み出し割り算を行う。単位時間あたりの実通信データ量を実際に送受信しているＳＴＡの数で割り算を行うことによって、実通信速度情報を算出する。ここで得られた実通信速度情報をＳ２０７においてＨＤＤ（２０６）に保存する。また、Ｓ２０２において、ＡＰｍ（２８）と通信中のＳＴＡが存在しない場合にはＳ２０６において予め規定された一台あたりの最高実通信速度情報をＲＯＭ（２０５）から読み出し、Ｓ２０６においてＨＤＤ（２０６）に保存する。
【００２０】
図８に、実通信速度情報管理サーバが各ＡＰの実通信速度情報を取得する際のフローチャート、を示す。このサーバが管理すべきＡＰの総数をｎと仮定し、一台目のＡＰから順次ｎ台目のＡＰまで実通信速度情報を取得する。Ｓ３０１において、実通信速度情報管理サーバのＣＰＵ（３０１）はＥＴＨＥＲネット接続装置（３０８）を用いてインターネット（４０）を介して一台目のＡＰ（ＡＰ１（２１））にアクセスする。Ｓ３０２において、ＣＰＵ（３０１）はＡＰ１（２１）のＣＰＵ（２０１）に対して実通信速度情報の送信を要求する。ＡＰ１（２１）のＣＰＵ（２０１）はＨＤＤ（２０６）に実通信速度情報データが保存されているかを調べ、保存されていない場合には実通信速度情報管理サーバ（３００）に対して送信不可を通知し、実通信速度情報管理サーバ（３００）はＳ３０２から再び同様なステップを繰り返す。Ｓ３０３にておいて、ＡＰ１（２１）が実送信速度を送信可能な場合は、Ｓ３０４にてＡＰ１（２１）のＣＰＵ（２０１）はＥＴＨＥＲネット接続装置（２０８）を用いてインターネット（４０）を介して実通信速度情報管理サーバ（３００）に実通信速度情報を送信する。Ｓ３０５において、実通信速度情報管理サーバ（３００）のＣＰＵ（３０１）はＥＴＨＥＲネット制御部（３０８）を介して受信した実通信速度情報データをＨＤＤ（３０６）に保存する。Ｓ３０６でｎ台目のＡＰからの受信データであるかを判別し、ｎ台目の場合には終了となり、ｎ台目に満たない場合にはＳ３０７において次のＡＰにアクセスする準備をし、Ｓ３０２から同様なステップを繰り返す。
【００２１】
図９に、各ＳＴＡがＳＴＡの位置情報を取得する際のフローチャート、を示す。Ｓ４０１において、ＳＴＡのＣＰＵ(１０１)は位置検出装置（１２０）にアクセスし、Ｓ４０２において、位置検出装置（１２０）の位置演算部（１２３）に位置情報があるかを判別する。Ｓ４０２において、位置情報がある場合、ＣＰＵ（１０１）はＨＤＤ（１０６）に位置情報を記憶し、終了する。Ｓ４０２において、位置情報が無い場合には、Ｓ４０４にて位置情報取得を継続するかを判別し、継続する場合にはＳ４０１から同様なステップを繰り返し、継続しない場合は終了する。ＨＤＤ（１０６）に保存されるデータの形式は、図３０のようになる。
【００２２】
図１０に、各ＡＰがＡＰの位置情報を取得する際のフローチャート、を示す。Ｓ５０１において、ＡＰのＣＰＵ（２０１）は位置検出装置（２２０）にアクセスし、Ｓ５０２において位置検出装置（２２０）の位置演算部（２２３）に位置情報があるかを判別する。Ｓ５０２において、位置情報がある場合、ＣＰＵ（２０１）はＨＤＤ（２０６）に位置情報を記憶し、終了する。Ｓ５０２において位置情報が無い場合にはＳ５０４にて位置情報取得を継続するかを判別し、継続する場合にはＳ５０１から同様な操作を行い、継続しない場合は終了する。ＨＤＤ（２０６）に保存されるデータの形式は、図３１のようになる。
【００２３】
図３２は、図８−１０によって得られた実通信速度情報とＡＰの位置情報の対応を示すデータ形式である。実通信速度情報管理サーバのＣＰＵ（３０１）は図８−１０を基に得られた情報をＨＤＤ（３０６）から読み出し、ＲＡＭ（２０４）上で図３２のデータ形式に加工し、その結果を再びＨＤＤ（３０６）に保存する。図３３は、図３２に加えて、各ＡＰのチャネル毎の実通信速度情報データを付加したデータ形式の例である。
【００２４】
図１１に、ＳＴＡは実通信速度がより速いＡＰの位置情報を取得しその方向と距離を算出して得る際のフローチャート、を示す。ここでは図１に則し、先ずＳＴＡi（１０）はＡＰ１（２１）の通信範囲で通信を行っているものとする。Ｓ６０１において、ＳＴＡi（１０）はＡＰ１（２１）を介してインターネット（４０）を通じ、実通信速度情報管理サーバ（３００）へＡＰ１（２１）周囲にＡＰ１（２１）よりも実通信速度情報の速いＡＰが存在するか探索要求を出す。これを受けて、実通信速度情報管理サーバ（３００）のＣＰＵ（３０１）はＨＤＤ（３０６）に保存されている図３２または図３３に示される情報を基に、ＡＰ１（２１）よりも実通信速度情報の速いＡＰを探索する。Ｓ６０３において、ＡＰ１（２１）周辺に新たなＡＰ、ＡＰｍ（２８）が見つかった場合、Ｓ６０４にて実通信速度情報管理サーバ（３００）はＳＴＡi（１０）に対してＡＰｍ（２８）の位置情報を送出する。Ｓ６０５において、ＳＴＡi（１０）はＡＰｍ（２８）の位置情報をＲＡＭ（１０４）に格納し、次にＳＴＡi（１０）の位置情報を自身のＨＤＤ（１０６）からＲＡＭ（１０４）へ読み出し、ＲＡＭ（１０４）を用いてＳＴＡi（１０）からＡＰｍ（２８）の方角と距離を算出し、その結果は図３５に示されるデータ形式になる。Ｓ６０６において、ＲＡＭ（１０４）上で計算された結果を用いて方角と距離を表示装置（１０３）にて表示して終了する。Ｓ６０３において、ＡＰ１（２１）より実通信速度情報が速いＡＰが見つからない場合、Ｓ６０７において、実通信速度速度情報管理サーバ（３０）はＳＴＡi（１０）に対してＡＰが見つからないことを通知する。Ｓ６０８において、ＳＴＡi（１０）からの再探索の要求がある場合にはＳ６０１に戻り同様なステップを再度繰り返し、要求が無い場合には終了する。
【００２５】
図１７に、実通信速度情報管理サーバ（３００）がＡＰの位置情報及び実通信速度情報を取得する際のシーケンス、を示す。Ｓ７０１において実通信速度情報管理サーバ（３０）はＡＰ１（２１）に位置情報送信要求を出す。Ｓ７０２において、ＡＰ１（２１）はＡＰ１（２１）の位置情報を実通信速度情報管理サーバ（３０）に送信し、Ｓ７０３において、実通信速度情報管理サーバはＡＰ１（２１）の位置情報をＨＤＤ（３０６）に保存する。以降、ｎ台目のＳＴＡまで、Ｓ７０４−Ｓ７０９の様に同様なステップを繰り返し、実通信速度速度情報管理サーバ（３０）はＡＰ１（２１）−ＡＰｎまで全てのＡＰの位置情報を取得し保存する。次にＳ７１０において、実通信速度速度情報管理サーバ（３０）はＡＰ１（２１）に対して実通信速度情報の送信要求を出し、Ｓ７１１にてＡＰ１（２１）は実通信速度情報を送信する。Ｓ７１２において、実送信速度管理サーバ（３０）は受信したＡＰ１（２１）の実通信速度情報と前述のＳ７０３で保存されている位置情報とを基に、図３２または図３３のデータ形式となるＡＰの位置−実通信速度情報を作成し、Ｓ７１３において、ＨＤＤ（３０６）に保存する。以降、Ｓ７１４−Ｓ７２１まで同様なステップを繰り返し、実通信速度速度情報管理サーバ（３０）はＡＰ１（２１）−ＡＰｎまで全てのＡＰの位置−実通信速度情報を取得し保存する。
【００２６】
図１８に、ＳＴＡi（１０）がＡＰ１（２１）付近に実通信速度がより速いＡＰの位置情報及び方角情報を取得する際のシーケンス、を示す。Ｓ８０１において、ＳＴＡi（１０）は接続中のＡＰに対して周辺のＡＰに実通信速度がより速いＡＰが存在するかの探索を要求する。この場合ＳＴＡi（１０）に接続中のＡＰはＡＰ１（２１）であり、Ｓ８０２において、ＡＰ１（２１）は実通信速度情報管理サーバ（３０）に対してＡＰ１（２１）周辺に実通信速度情報画より早いＡＰが存在するかの探索を要求する。Ｓ８０３において、実通信速度情報管理サーバ（３０）はＨＤＤ（３０６）に保存されている図３２あるいは図３３のデータ形式となるＡＰの位置−実通信速度情報を参照し、Ｓ８０３において、ＡＰ１（２１）周辺に新たなＡＰ（ＡＰｍ）が見つかった場合は、Ｓ８０４においてＳＴＡi（１０）に対してＡＰ１（２１）を介してＡＰｍ（２８）の位置情報を送信する。Ｓ８０５において、ＳＴＡi（１０）はＳ８０４で受信した情報をＲＡＭ（１０４）に格納する。Ｓ８０６において、ＳＴＡi（１０）はＨＤＤ（１０６）からＳＴＡi（１０）自身の位置情報を読み出し、ＲＡＭ（１０４）に格納する。Ｓ８０７において、Ｓ８０５とＳ８０６でＲＡＭ（１０４）上に格納された情報を用いてＳＴＡi（１０）のＣＰＵ（１０１）はＳＴＡi（１０）からＡＰｍ（２８）の方角と距離を算出し、その結果は図３５に示されるデータ形式になる。Ｓ８０８において、Ｓ８０７で得られた情報を基にＳＴＡi（１０）の表示装置（１０３）でＡＰｍ（２８）の方角と距離を表示する。Ｓ８０３の後、ＡＰ１（２１）付近に実通信速度情報野より速いＡＰが見つからない場合、Ｓ８１０において、実通信速度情報管理サーバ（３０）はＡＰ１（２１）付近に実通信速度がより速いＡＰが存在しないことをＳＴＡi（１０）に通知する。Ｓ８１１において、再度ＡＰを探索する場合にはＳ８０１から同様なステップを実行する。
【００２７】
本実施例においては無線通信を例にとって説明したが、有線通信においても同様な操作が適用できることは言うまでも無い。
【００２８】
（実施例２）
第一の実施例において、ＡＰの位置−実通信速度情報の管理方法が異なる実施例を示す。本実施例においては他の実施例同様、図１に則して説明する。
【００２９】
図１９に実通信速度情報管理サーバが全てのＡＰの実通信速度情報を取得する際の、第二の実施例におけるフローチャートを示す。Ｓ９０１において、実通信速度情報管理サーバ（３０）は一番目のＡＰ（ＡＰ１、２１）を選択する。Ｓ９０２において、実通信速度情報管理サーバはＡＰ１（２１）に対して実通信速度情報の送信要求を出す。Ｓ９０３において、ＡＰ１（２１）が実通信速度情報を送信可能で無い場合、Ｓ９０２から同様なステップを再度実行し、送信可能な場合は、Ｓ９０４において、ＡＰ１（２１）は位置情報と実通信速度情報をＨＤＤ（２０６）から読み出し、Ｓ９０５において、ＡＰ１（２１）はＡＰ１（２１）の位置情報と実通信速度情報を実通信速度情報管理サーバに送信し、Ｓ９０６において、実通信速度情報管理サーバはＡＰ１（２１）の位置情報と実通信速度情報を図３２または図３３の形式でＨＤＤ（３０６）に保存し、Ｓ９０７において、全てのＡＰのから位置情報と実通信速度情報を受信したか（ｎ台目か）を判別し、ｎ台目で無い場合には、Ｓ９０８において、情報を要求するＡＰの順番をカウントアップし、Ｓ９０７で全てのＡＰの情報が得られている場合には終了する。
【００３０】
図２０に、実通信速度情報管理サーバがＡＰ１（２１）にＡＰ１（２１）の周囲のＡＰの位置−実通信速度情報を送信する際の、第二の実施例におけるフローチャート、を示す。Ｓ１００１において実通信速度情報管理サーバ（３０）は、図３２または図３３の形式の、ＡＰの位置情報と実通信速度情報をＨＤＤ（３０６）からＲＡＭ（３０６）へ読み出す。Ｓ１００２において、実通信速度情報管理サーバは、ＡＰ１（２１）の周囲のＡＰの位置情報と実通信速度情報（ＡＰの位置−実通信速度情報）を選択する。Ｓ１００３において、実通信速度情報管理サーバ（３０）はＡＰ１（２１）にＡＰの位置−実通信速度情報の送信を通知する。Ｓ１００４において、ＡＰ１（２１）が受信可能な場合、Ｓ１００５にてＡＰ１（２１）は受信したＡＰの位置−実通信速度情報をＨＤＤ（２０６）に保存して終了する。Ｓ１００４において、ＡＰ１（２１）が受信不可の場合、Ｓ１００６にて実通信速度速度情報管理サーバ（３０）は、再試行する場合にはＳ１００４から同様な操作を繰り返し、再試行しない場合には終了する。
【００３１】
図２１に、ＳＴＡは実通信速度がより速いＡＰの位置情報をＡＰから得る際の、第二の実施例におけるフローチャート、を示す。Ｓ１１０１において、ＳＴＡi（１０）はＡＰ１（２１）の周囲に実通信速度がより速いＡＰが存在するかの探索要求を送信する。Ｓ１１０２において、ＡＰ１（２１）は予め実通信速度情報管理サーバ（３０）から受信した、図３２または図３３の形式の、ＡＰの位置−実通信速度情報をＨＤＤ（２０６）から読み出す。Ｓ１１０３において、ＡＰ１（２１）付近に実通信速度情報が速いＡＰ（ＡＰｍ）が存在する場合、Ｓ１１０４においては、ＳＴＡi（１０）にＡＰｍ（２８）の位置情報を送信し、Ｓ１１０５において、ＳＴＡi（１０）は自身の位置情報をＨＤＤ（１０６）から読み出し、ＡＰｍ（２８）の位置情報とからＡＰｎ（２９）の方角と距離を計算し、その結果は図３５に示されるデータ形式になる。Ｓ１１０６において、ＳＴＡi（１０）はＡＰｍ（２８）の方角と距離を表示装置（１０３）で表示し、終了する。Ｓ１１０３において、ＡＰ１（２１）付近に実通信速度がより速いＡＰが存在しない場合、ＡＰ１（２１）はＳＴＡi（１０）にＡＰ１（２１）付近には実通信速度がより速いＡＰが存在しないことを通知する。Ｓ１１０８において、ＳＴＡi（１０）が再試行する場合、Ｓ１１０１から同様なステップを繰り返して実行し、再試行しない場合には終了する。
【００３２】
図２２に、ＳＴＡi（１０）がＡＰ１（２１）付近に実通信速度がより速いＡＰの位置情報及び方角情報をＡＰｍから取得する際の、第二の実施例におけるシーケンス図を示す。Ｓ１２０１において、実通信速度情報管理サーバ（３０）はＡＰ１（２１）の位置情報と実通信速度情報の送信を要求し、Ｓ１２０２において、ＡＰ１（２１）は自身の位置情報と実通信速度情報を実通信速度情報管理サーバ（３０）に送信し、Ｓ１２０３において実通信速度情報管理サーバ（３０）はＡＰ１（２１）の位置情報と自通信速度情報を図３２あるいは図３３の形式でＨＤＤ（３０６）に保存する。全てのＡＰの位置情報と実通信速度情報を得るために、実通信速度情報サーバ（３０）は同様な手順をＡＰ１（２１）からＡＰｎ（２９）まで、Ｓ１２０５まで実行する。Ｓ１２０７においては、図３２あるいは図３３の形式のデータからＡＰ１（２１）周辺においてＡＰ１（２１）よりも実通信速度がより速いＡＰの位置情報と実通信速度情報を選択し、Ｓ１２０８においては、実通信速度情報管理サーバ（３０）はＳ１２０７で選択されたデータの送信通知をＡＰ１（２１）に対して通知し、Ｓ１２０８においては、ＡＰ１（２１）が受信許可通知を実通信速度情報管理サーバ（３０）に対して応答する。Ｓ１２１０においては、ＡＰ１（２１）に対して実通信速度情報管理サーバ（３０）はＳ１２０７で選択されたデータを送信し、Ｓ１２１１においては、ＡＰ１（２１）はＡＰ１（２１）周辺におけるＡＰ１（２１）よりも実通信速度情報が速いＡＰ（ＡＰｍ、２８）の位置情報と実通信速度情報をＨＤＤ（２０６）に保存する。Ｓ１２１２において、ＳＴＡi（１０）はＡＰ１（２１）に対してＡＰ１（２１）周辺での実通信速度がより速いＡＰの探索要求を送出し、Ｓ１２１３において、ＡＰ１（２１）はＳＴＡi（１０）に対してＡＰｍ（２８）の位置情報データを送信し、Ｓ１２１４において、ＳＴＡi（１０）はＳ１２１３で受信したデータをＲＡＭ（１０４）に格納し、Ｓ１２１５において、ＳＴＡi（１０）はＨＤＤ（１０６）から自身の位置情報を読み出しＲＡＭ（１０４）に格納し、Ｓ１２１６において、ＳＴＡi（１０）はＳ１２１４のデータとＳ１２１５のデータを用いてＡＰｍ（２８）の方角と距離を算出し、その結果は図３５に示されるデータ形式になる。Ｓ１２１７において、ＳＴＡi（１０）は表示装置（１０３）にＡＰｍ（２８）の方角と距離を表示する。
【００３３】
その他の手順、フローチャート、シーケンス図については第一の実施例と同様である。
【００３４】
本実施例においては無線通信を例にとって説明したが、有線通信においても同様な操作が適用できることは言うまでも無い。
【００３５】
（実施例３）
本実施例においては、第一の実施例において、ＳＴＡは実通信速度がより速いＡＰの方角と距離を得る際において、ＳＴＡが設定する選択基準によってＡＰの位置情報を取得してその方角と距離を算出して得る場合、について示す。本実施例においては他の実施例同様、図１に則して説明する。
【００３６】
本実施例においては、ＳＴＡが実通信速度情報管理サーバに付近のＡＰ情報の送信要求を出す際に、図２３に示されるような探索基準を付加した送信要求命令フレーム（５０５０）を用いる。図２３においては、送信要求フレーム（５０５１）のほか、現在接続されているＡＰに対して要求する通信速度の設定を速度要求フレーム（５０５２）によって行い、探索範囲フレーム（５０５３）によって、現在接続されているＡＰに対して、実通信速度がより速いＡＰを探索する際の範囲設定を行い、連続データ量通知フレーム（５０４５）によって送信しようとしているデータ量の大きさを通知し、探索優先順位フレームによって、５０５２、５０５３及び５０５４ののうちのフレームの優先順位を通知する。
【００３７】
図２４に、ＳＴＡが探索基準を付加した送信要求命令データを用いて実通信速度のより速いＡＰの位置情報を取得し、その方角と距離を算出して得る際のフローチャート、を示す。Ｓ１３０１において、ＳＴＡi（１０）はＡＰ１（２１）を通して実通信速度情報管理サーバ（３０）へ探索基準を付加した送信要求命令フレーム（５０５０）形式を用いて実通信速度がより速いＡＰの探索要求を送信する。S１３０２において、実通信速度情報管理サーバ（３０）は受信した探索基準を付加した送信要求命令フレーム（５０５０）をＲＡＭ(３０４)に格納し、ＣＰＵ(３０１)は探索優先順位（５０５５）を用いてＨＤＤ(３０６)に保存されている図３２または図３３の形式のデータからＡＰを検索する。Ｓ１３０３において、ＡＰが見つかった場合は、Ｓ１３０４において、ＳＴＡi（１０）に探索したＡＰ（ＡＰｍ、２８）の位置情報と実通信速度情報を送信する。Ｓ１３０５においては、ＳＴＡi（１０）は自分の位置情報とＡＰｍ（２８）の位置情報からＡＰｍ（２８）の方角と距離を算出し、その結果は図３５に示されるデータ形式になる。Ｓ１３０６においてＳＴＡi（１０）はＡＰｍ（２８）の方角と距離を表示装置（１０３）において表示し、終了する。Ｓ１３０３において、ＡＰが見つからない場合、Ｓ１３０７において、実通信速度情報管理サーバはＳＴＡi（１０）に対してＡＰ１（２１）付近に探索基準を満たすＡＰは存在しないことを通知し、Ｓ１３０８において、ＳＴＡi（１０）が最探索する場合には、Ｓ１３０１から同様なステップを実行し、最探索しない場合には終了する。
【００３８】
図２５に、ＳＴＡi（１０）がＡＰ１（２１）付近に実通信速度がより速いＡＰの位置情報を探索基準命令データを用いて取得し、ＡＰの方角と距離を算出する際のシーケンス、を示す。Ｓ１４０１において、ＳＴＡi（１０）はＡＰ１（２１）に実通信速度がより速いＡＰの探索要求を探索基準を付加した送信要求命令フレーム（５０５０）形式を用いて送信する。Ｓ１４０２において、ＡＰ１（２１）は実通信速度情報管理サーバ（３０）へ実通信速度がＡＰ１（２１）より速いＡＰの探索要求を探索基準を付加した送信要求命令フレーム（５０５０）形式を用いて送信する。S１４０３において、実通信速度情報管理サーバ（３０）は受信した探索基準を付加した送信要求命令フレーム（５０５０）をＲＡＭ(３０４)に格納し、ＣＰＵ(３０１)は探索優先順位（５０５５）を用いてＨＤＤ(３０６)に保存されている図３２または図３３の形式のデータからＡＰを検索する。Ｓ１４０３において、ＡＰが見つかった場合は、Ｓ１４０４において、ＳＴＡi（１０）に探索したＡＰ（ＡＰｍ、２８）の位置情報を送信する。Ｓ１４０５において、ＳＴＡi（１０）は受信したＡＰｍ（２８）の位置情報をＲＡＭ（１０４）に格納する。Ｓ１４０６において、ＳＴＡi（１０）はＧＤＤ（１０６）からＳＴＡi（１０）の位置情報を読み出しＲＡＭ（１０４）に格納する。Ｓ１４０７において、ＳＴＡi（１０）のＣＰＵ（１０１）はＳ１４０５とＳ１４０６で得た情報を用いてＳＴＡi（１０）から見たＡＰｍ（２８）の方角と距離を算出し、その結果は図３５に示されるデータ形式になる。Ｓ１４０８において、ＳＴＡi（１０）はＡＰｍ（２８）の方角と距離を表示装置（１０３）において表示する。
【００３９】
その他の手順、フローチャート、シーケンス図については第一の実施例と同様である。
【００４０】
本実施例においては無線通信を例にとって説明したが、有線通信においても同様な操作が適用できることは言うまでも無い。
【００４１】
（実施例４）
本実施例においては、実通信速度情報管理サーバが接続されているＡＰよりも実通信速度がより速いＡＰの探索要求を送信するＳＴＡの位置情報と探索したＡＰとの位置情報を用いてＳＴＡから探索したＡＰの方角情報と距離情報を実通信速度情報管理サーバで算出し、ＳＴＡに算出した方角情報と距離情報を送信することによってＳＴＡが探索したＡＰの方角情報と距離情報を得る方法、について述べる。本実施例においては他の実施例同様、図１に則して説明する。
【００４２】
図２６に、ＳＴＡは実通信速度がより速いＡＰの方角情報と距離情報を取得する際のフローチャート、を示す。Ｓ１５０１において、ＳＴＡi（１０）はＡＰ１（２１）を通して実通信速度情報管理サーバ（３０）へＡＰ１（２１）周辺に実通信速度がより速いＡＰの情報を送信するように要求する。Ｓ１５０２において、実通信速度情報管理サーバ（３０）はＡＰ１（２１）周辺で実通信速度がより速いＡＰを、ＨＤＤ（３０６）に保存されている図３２または図３３の形式のデータを用いて検索する。Ｓ１５０３において、Ｓ１５０２の結果を判断し、新たにＡＰ（ＡＰｍ）が見つかった場合には、Ｓ１５０４において、実通信速度情報管理サーバ（３０）はＳＴＡi（１０）にＳＴＡi（１０）の位置情報を送信するように要求する。Ｓ１５０５において、ＳＴＡi（１０）は自身の位置情報をＨＤＤ（１０６）から読み出し、実通信速度情報管理サーバ（３０）に送信する。Ｓ１５０６において、実通信速度情報管理サーバ（３０）は受信したＳＴＡi（１０）の位置情報とＲＡＭ（３０４）上に格納されたAPｍ（２８）の位置情報とを用いてＳＴＡi（１０）からAPｍ（２８）の方角と距離を算出し、その結果は図３５に示されるデータ形式になる。Ｓ１５０７において、実通信速度情報管理サーバ（３０）はＳＴＡi（１０）にＡＰ１（２１）を介してAPｍ（２８）の方角情報と距離情報を送信する。Ｓ１５０８において、ＳＴＡi（１０）は受信した方角情報と距離情報を用いて表示装置（１０３）を用いてAPｍ（２８）の方角と距離表示し、終了する。Ｓ１５０３において、新たなＡＰが見つからない場合、Ｓ１５０９にＳＴＡi（１０）にＡＰ１（２１）付近に実通信速度がより速いＡＰが存在しないことを通知し、Ｓ１５１０においては、ＳＴＡi（１０）は再探索するか判断し、再探索する場合にはＳ１５０１から同様なステップを再度実行し、最探索しない場合は終了する。
【００４３】
図２７に、ＳＴＡi（１０）がＡＰ１（２１）付近に実通信速度がより速いＡＰの方角情報及び距離情報を取得する際のシーケンス、を示す。Ｓ１６０１において、ＳＴＡi（１０）はＡＰ１（２１）に対して周辺に実通信速度がより速いＡＰが存在するかの探索要求を出し、Ｓ１６０２において、ＡＰ１（２１）はＳ１６０１同様に実通信速度情報管理サーバ（３０）に対してＡＰ１（２１）周辺に実通信速度がより速いＡＰが存在するか探索要求を送信する。Ｓ１６０３において、実通信速度情報管理サーバ（３０）はＨＤＤ（３０６）に保存されている図３２または図３３の形式のデータを用いて、実通信速度がより速いＡＰがＡＰ１（２１）周辺に存在するかを検索する。Ｓ１６０３にて新たなＡＰ（APｍ（２８））が見つかった場合、Ｓ１６０４にて実通信速度情報管理サーバ（３０）はＳＴＡi（１０）に対してＳＴＡi（１０）の位置情報送信要求を送信する。Ｓ１６０５において、ＳＴＡi（１０）は自身の位置情報が存在する場合、ＨＤＤ（１０６）に保存された自身の位置情報を読み出し、実通信速度情報管理サーバ（３０）にＳＴＡi（１０）の位置情報を送信する。Ｓ１６０６において、受信したＳＴＡi（１０）の位置情報をＲＡＭ（３０４）に格納し、Ｓ１６０７においては、ＨＤＤ（３０６）からAPｍ（２８）の位置情報を読み出してＲＡＭ（３０４）に格納し、Ｓ１６０８において、Ｓ１６０６とＳ１６０７の情報を用いてＳＴＡi（１０）からAPｍ（２８）の方角と距離を算出し、その結果は図３５に示されるデータ形式になる。Ｓ１６０９において算出した方角情報と距離情報をＳＴＡi（１０）へ送信し、Ｓ１６１０にてＳＴＡi（１０）は受信した方角情報と距離情報を用いて表示装置（１０３）でAPｍ（２８）の方角と距離表示する。
【００４４】
その他の手順、フローチャート、シーケンス図については第一の実施例と同様である。
【００４５】
本実施例においては無線通信を例にとって説明したが、有線通信においても同様な操作が適用できることは言うまでも無い。
【００４６】
（実施例５）
本実施例においては、第四の実施例において、ＳＴＡは実通信速度がより速いＡＰの方角情報と距離情報を実通信速度情報管理サーバから得る際において、ＳＴＡが設定する選択基準によってＡＰの方角情報と距離情報を実通信速度情報管理サーバから得る際の手順について示す。本実施例においては他の実施例同様、図１に則して説明する。
【００４７】
図２８に、ＳＴＡは実通信速度がより速いＡＰの方角情報及び距離情報を実通信速度情報管理サーバから取得する際のフローチャート、を示す。Ｓ１７０１において、ＳＴＡi（１０）はＡＰ１（２１）を通して実通信速度情報管理サーバ（３０）にＡＰ１（２１）周辺で実通信速度がより速いＡＰが存在するかの探索要求を図２３に示される送信要求命令フレーム（５０５０）を用いてＡＰの探索要求を送信する。Ｓ１７０２において、実通信速度情報管理サーバ（３０）はＡＰ１（２１）周辺で実通信速度情報がより速いＡＰを送信要求命令フレーム（５０５０）を用いて検索する。Ｓ１７０３において、新たなＡＰ（APｍ、２８）が見つかった場合、Ｓ１７０４において、実通信速度情報管理サーバ（３０）はＳＴＡi（１０）にＳＴＡi（１０）の位置情報送信要求を送信する。Ｓ１７０５において、ＳＴＡi（１０）は実通信速度情報管理サーバ（３０）に位置情報を送信する。Ｓ１７０６において、実通信速度速度情報管理サーバ（３０）はＳＴＡi（１０）とAPｍ（２８）の位置情報報からＳＴＡi（１０）から見たAPｍ（２８）の方角と距離を算出し、図３５に示される形式のデータをＲＡＭ（３０４）に格納する。Ｓ１７０７において、実通信速度情報管理サーバ（３０）はAPｍ（２８）の方角情報と距離情報をＳＴＡi（１０）に送信する。Ｓ１７０８において、ＳＴＡi（１０）はＳ１７０７で受信した情報を用いて表示装置（１０３）を用いてAPｍ（２８）の方角と距離を表示し、終了する。Ｓ１７０３において、新たなＡＰが見つからない場合、Ｓ１７０９において、ＳＴＡi（１０）にＡＰ１（２１）付近に探索基準を満たすＡＰが存在しないことを通知する。Ｓ１７１０において、ＳＴＡi（１０）が再探索を希望する場合はＳ１７０１からのステップを再度実行し、最探索を希望しない場合は終了する。
【００４８】
図２９に、ＳＴＡi（１０）がＡＰ１（２１）付近に実通信速度がより速いＡＰの方角情報及び距離情報を探索基準命令データ形式を用いて実通信速度速度情報管理サーバ（３０）から取得する際のシーケンス、を示す。Ｓ１８０１において、ＳＴＡi（１０）はＡＰ１（２１）にＡＰ１（２１）周辺で実通信速度がより速いＡＰが存在するかの探索要求を図２３に示される送信要求命令フレーム（５０５０）を用いてＡＰの探索要求を送信する。Ｓ１８０２において、ＡＰ１（２１）は実通信速度情報管理サーバ（３０）にＡＰ１（２１）周辺で実通信速度がより速いＡＰが存在するかの探索要求を図２３に示される送信要求命令フレーム（５０５０）を用いてＡＰの探索要求を送信する。Ｓ１８０３において、実通信速度情報管理サーバ（３０）は図３２または図３３の形式のデータをＨＤＤ（３０６）から読み出し、ＡＰ１（２１）周辺で実通信速度がより速いＡＰを送信要求命令フレームを用いて検索する。新たなＡＰ（ＡＰｍ、２８）が見つかった場合、Ｓ１８０４において、実通信速度情報管理サーバ（３０）はＳＴＡi（１０）にＳＴＡi（１０）の位置情報送信要求を送信する。Ｓ１８０５において、ＳＴＡi（１０）はＨＤＤ（１０６）からＳＴＡi（１０）の位置情報を読み出す。Ｓ１８０６において、ＳＴＡi（１０）はＳＴＡi（１０）の位置情報を実通信速度情報管理サーバ（３０）へ送信する。Ｓ１８０７において、実通信速度情報管理サーバ（３０）はＲＡＭ（３０４）にＳＴＡi（１０）の位置情報を格納する。Ｓ１８０８において、実通信速度情報管理サーバ（３０）はＨＤＤ（３０６）からAPｍ（２８）の位置情報を読み出しＲＡＭ（３０４）に格納する。Ｓ１８０９において、実通信速度情報管理サーバ（３０）はＳ１８０７とＳ１８０８の情報を用いてＳＴＡi（１０）から見たAPｍ（２８）の方角と距離を算出し、その結果は図３５に示されるデータ形式になる。Ｓ１８１０において、実通信速度情報管理サーバ（３０）はＳＴＡi（１０）にAPｍ（２８）の方角情報と距離情報を送信する。Ｓ１８１１において、ＳＴＡi（１０）はAPｍ（２８）の方角情報と距離情報をＲＡＭ（１０４）に格納する。Ｓ１８１２において、ＳＴＡi（１０）はＳ１８０９の情報を用いて表示装置（１０３）でAPｍ（２８）の方角と距離を表示する。
【００４９】
その他の手順、フローチャート、シーケンス図については第四の実施例と同様である。
【００５０】
本実施例においては無線通信を例にとって説明したが、有線通信においても同様な操作が適用できることは言うまでも無い。
【図面の簡単な説明】
【００５１】
【図１】本発明の構成、を示す図である。
【図２】従来例の構成、を示す図である。
【図３】無線ＬＡＮ端末（ＳＴＡ）の構成、を示す図である。
【図４】無線ＬＡＮアクセスポイント（ＡＰ）の構成、を示す図である。
【図５】実通信速度情報管理サーバの構成、を示す図である。
【図６】ＡＰの位置情報を取得する際のフローチャート、を示す図である。
【図７】ＡＰの実通信速度情報を測定する際のフローチャート、を示す図である。
【図８】実通信速度情報管理サーバが全てのＡＰの実通信速度情報を取得する際のフローチャート、を示す図である。
【図９】ＳＴＡがＳＴＡの位置情報を取得する際のフローチャート、を示す図である。
【図１０】ＡＰがＡＰの位置情報を取得する際のフローチャート、を示す図である。
【図１１】ＳＴＡは実通信速度がより速いＡＰの位置情報を取得しその方向と距離を算出して得る際のフローチャート、を示す図である。
【図１２】ＩＥＥＥ802.11規格におけるRTSフレーム、を示す図である。
【図１３】ＩＥＥＥ802.11規格におけるCTSフレーム、を示す図である。
【図１４】ＩＥＥＥ802.11規格におけるACKフレーム、を示す図である。
【図１５】ＩＥＥＥ802.11規格におけるデータフレーム、を示す図である。
【図１６】ＩＥＥＥ802.11規格におけるビーコンフレーム、を示す図である。
【図１７】実通信速度情報管理サーバがＡＰの位置情報及び実通信速度情報取得する際のシーケンス図である。
【図１８】ＳＴＡi（１０）がＡＰｍ付近に実通信速度がより速いＡＰの位置情報及び方角情報を取得する際のシーケンス、を示す図である。
【図１９】実通信速度情報管理サーバが全てのＡＰの実通信速度情報を取得する際の、第二の実施例におけるフローチャート、を示す図である。
【図２０】実通信速度情報管理サーバがＡＰ１（２１）に周囲のＡＰの位置−実通信速度情報を送信する際の、第二の実施例におけるフローチャート、を示す図である。
【図２１】ＳＴＡは実通信速度がより速いＡＰの位置情報をＡＰから取得し、その方角と距離を算出して得る際の、第二の実施例におけるフローチャート、を示す図である。
【図２２】ＳＴＡi（１０）がＡＰｍ付近の実通信速度がより速いＡＰの位置情報をＡＰｍから取得し、方角及び距離を算出する際の、第二の実施例におけるシーケンス、を示す図である。
【図２３】探索基準を付加した送信要求命令データ形式の例を示す図である。
【図２４】ＳＴＡが探索基準を付加した送信要求命令データを用いて実通信速度のより速いＡＰの位置情報を取得し、その方角と距離を算出して得る際のフローチャート、を示す図である。
【図２５】ＳＴＡi（１０）がＡＰ１（２１）付近に実通信速度がより速いＡＰの位置情報及び方角情報を探索基準命令データを用いて取得する際のシーケンス、を示す図である。
【図２６】ＳＴＡは実通信速度がより速いＡＰの方角情報と距離情報を取得する際のフローチャート、を示す図である。
【図２７】ＳＴＡi（１０）がＡＰ１（２１）付近に実通信速度がより速いＡＰの方角及び距離情報を取得する際のシーケンス、を示す図である。
【図２８】ＳＴＡが探索基準を付加した送信要求命令データを用いて実通信速度がより速いＡＰの方角情報と距離情報を実通信速度速度情報管理サーバ（３０）から得る際のフローチャート、を示す図である。
【図２９】ＳＴＡi（１０）がＡＰ１（２１）付近に実通信速度がより速いＡＰの方角情報と距離情報を探索基準命令データ形式を用いて実通信速度速度情報管理サーバ（３０）から取得する際のシーケンス、を示す図である。
【図３０】ＳＴＡの位置情報データ形式
【図３１】ＡＰの位置情報データ形式
【図３２】ＡＰの位置情報と実通信速度情報データ形式
【図３３】ＡＰの位置情報とチャネル毎の実通信速度情報データ形式
【図３４】選択基準によって選出された接続候補ＡＰの位置情報と実通信速度情報データ形式
【図３５】ＡＰの方角情報と距離情報データ形式
【符号の説明】
【００５２】
10  無線ＬＡＮ端末（ＳＴＡ）
11  無線ＬＡＮ端末（ＳＴＡ）
12  無線ＬＡＮ端末（ＳＴＡ）
18  無線ＬＡＮ端末（ＳＴＡ）
19  無線ＬＡＮ端末（ＳＴＡ）
21  アクセスポイント（ＡＰ）
28  アクセスポイント（ＡＰ）
29  アクセスポイント（ＡＰ）
30  実通信速度情報管理サーバ
40  インターネット
【図１】
2006033460.tif 000003
【図２】
2006033460.tif 000004
【図３】
2006033460.tif 000005
【図４】
2006033460.tif 000006
【図５】
2006033460.tif 000007
【図６】
2006033460.tif 000008
【図７】
2006033460.tif 000009
【図８】
2006033460.tif 000010
【図９】
2006033460.tif 000011
【図１０】
2006033460.tif 000012
【図１１】
2006033460.tif 000013
【図１２】
2006033460.tif 000014
【図１３】
2006033460.tif 000015
【図１４】
2006033460.tif 000016
【図１５】
2006033460.tif 000017
【図１６】
2006033460.tif 000018
【図１７】
2006033460.tif 000019
【図１８】
2006033460.tif 000020
【図１９】
2006033460.tif 000021
【図２０】
2006033460.tif 000022
【図２１】
2006033460.tif 000023
【図２２】
2006033460.tif 000024
【図２３】
2006033460.tif 000025
【図２４】
2006033460.tif 000026
【図２５】
2006033460.tif 000027
【図２６】
2006033460.tif 000028
【図２７】
2006033460.tif 000029
【図２８】
2006033460.tif 000030
【図２９】
2006033460.tif 000031
【図３０】
2006033460.tif 000032
【図３１】
2006033460.tif 000033
【図３２】
2006033460.tif 000034
【図３３】
2006033460.tif 000035
【図３４】
2006033460.tif 000036
【図３５】
2006033460.tif 000037